【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
相互接続性液晶ポリマーネットワークを含む光起電力電池。
【請求項２】
セルが、セルの後側に反応性皮膜が施されて提供される、請求項１に記載の光起電力電池。
【請求項３】
セルが光吸収性、電子供与性、および電子受容性成分を含み、そのうち少なくとも１種の成分がポリマーネットワークである、請求項１または２に記載の光起電力電池。
【請求項４】
電子供与性および／または電子受容性ポリマーネットワークが、個々の反応性メソゲンまたは反応性メソゲンの混合物の重合によって形成される、請求項３に記載の光起電力電池。
【請求項５】
ポリマーネットワークを含むセルが、電子供与性成分と電子受容性成分のブレンドの重合によって形成され、相互貫入ポリマーネットワークを形成する、請求項１ないし４のいずれかに記載の光起電力電池。
【請求項６】
成分が反応性メソゲンである、請求項５に記載の光起電力電池。
【請求項７】
セルが、ブレンドの電子供与モノマー成分および電子受容モノマー成分の逐次重合および個別の重合によって形成されるポリマーネットワークを含む、請求項１ないし６のいずれかに記載の光起電力電池。
【請求項８】
成分が反応性メソゲンである、請求項７に記載の光起電力電池。
【請求項９】
セルが、種々の速度での、ブレンドの電子供与モノマー成分および電子受容モノマー成分の重合によって形成されるポリマーネットワークを含む、請求項１ないし８のいずれかに記載の光起電力電池。
【請求項１０】
成分が反応性メソゲンである、請求項９に記載の光起電力電池。
【請求項１１】
セルがゲルの逐次形成と、それに続く非重合可能成分の除去および別の成分によるそれの置換によって形成されるポリマーネットワークを含む、請求項１ないし１０のいずれかに記載の光起電力電池。
【請求項１２】
成分が反応性メソゲンであり、置換成分が重合されて第２のポリマーネットワークが形成される、請求項１１に記載の光起電力電池。
【請求項１３】
セルが、部分架橋されたポリマーネットワークの逐次形成と、それに続く重合されていないモノマーの除去および別の成分によるそれの置換によって形成されるポリマーネットワークを含む、請求項１ないし１２のいずれかに記載の光起電力電池。
【請求項１４】
成分が反応性メソゲンであり、置換成分が重合されて第２のポリマーネットワークが形成される、請求項１３に記載の光起電力電池。
【請求項１５】
ポリマーネットワークが、基板に接触結合できるシートまたはタイルとして製造される、請求項１ないし１４のいずれかに記載の光起電力電池。
【請求項１６】
ポリマーネットワークが単純なコーティング技術によって非平面表面、例えば、曲面に塗布される、請求項１ないし１５のいずれかに記載の光起電力電池。
【請求項１７】
一般式Ｉの反応性メソゲンの混合物から形成された、架橋されたポリマーネットワークを含む、請求項１ないし１６のいずれかに記載の光起電力電池：
Ｂ−Ｓ−Ａ−Ｓ−Ｂ （一般式１）
［式中、
Ａは発色団であり、
Ｓはスペーサであり、
Ｂは光重合を起こしやすい末端基である］。
【請求項１８】
光起電力電池に用いるための光吸収性相互接続性液晶ポリマーネットワークの製造における、一般式Ｉの反応性メソゲンの使用：
Ｂ−Ｓ−Ａ−Ｓ−Ｂ （一般式Ｉ）
［式中、
Ａは発色団であり、
Ｓはスペーサであり、
Ｂは重合、特に熱重合または光重合を起こしやすい末端基である］。
【請求項１９】
前記光重合が紫外線を利用する、請求項１８に記載の使用。
【請求項２０】
光重合が直鎖重合または環化重合を含む、請求項１８または１９に記載の使用。
【請求項２１】
前記発色団（Ａ）がフルオレン、ビニレンフェニレン、アントラセン、ペリレン、ベンゾチアジアゾール、オキサジアゾール、チオフェンおよびそれらのいずれかの誘導体からなる群より選択される、請求項１８ないし２０のいずれかに記載の使用。
【請求項２２】
発色団が以下から選択される、請求項２１に記載の使用：
【化１】
2007531995.tif 000001
【請求項２３】
前記スペーサ（Ｓ）が有機鎖である、請求項１８ないし２２のいずれかに記載の使用。
【請求項２４】
スペーサ基が、ヘテロ原子を場合によって含んでもよい、直鎖アルキル、分岐アルキルおよびアルケニル鎖から選択される、請求項２３に記載の使用。
【請求項２５】
前記有機鎖が脂肪族結合、アミン結合、エステル結合およびエーテル結合ならびにそれらのいずれかの誘導体からなる群より選択される、請求項２３または２４に記載の使用。
【請求項２６】
光重合が、以下に示される一般式を有する最初のラジカルを形成するための末端基（Ｂ）のラジカル化を含む、請求項１８ないし２５のいずれかに記載の使用：
Ｂ−Ｓ−Ａ−Ｓ−Ｂ・ （一般式ＩＩ）。
【請求項２７】
第１のモノマーのＢ・ラジカル化末端基が、第２のモノマーのラジカル化されていない末端基（Ｂ）と反応して環状物質を形成する、請求項２６に記載の使用。
【請求項２８】
第１のモノマーのＢ・ラジカル化末端基と、第２のモノマーのラジカル化されていない末端基（Ｂ）との反応が立体的に制御される、請求項２７に記載の使用。
【請求項２９】
末端基（Ｂ）がジエンを含む、請求項１８ないし２８のいずれかに記載の使用。
【請求項３０】
ジエンが１，４ジエン、１，５ジエンおよび１，６ジエンからなる群より選択される、請求項２９に記載の使用。
【請求項３１】
ジエンが以下のうちいずれかの構造を有する、請求項３０に記載の使用：
【化２】
2007531995.tif 000002
【請求項３２】
末端基が以下の構造を有する、請求項３０または３１に記載の使用：
【化３】
2007531995.tif 000003
【請求項３３】
ジエン官能基が脂肪族結合によって分けられる、請求項２９ないし３２のいずれかに記載の使用。
【請求項３４】
ジエン官能基がエーテル結合およびアミン結合からなる群より選択される不活性結合によって分けられる、請求項２９ないし３２のいずれかに記載の使用。
【請求項３５】
反応性メソゲンが以下の一般式を有する、請求項２９に記載の使用：
【化４】
2007531995.tif 000004
［式中、Ｒは以下の一般式を有し、
Ｘ−Ｓ２−Ｙ−Ｚ、
ＸはＯ、ＣＨ2およびＮＨからなる群より選択され、
Ｓ２はヘテロ原子を場合によって含んでもよい、直鎖アルキル、分岐アルキルおよびアルケニル鎖からなる群より選択され、
ＹはＯ、ＣＯ2およびＳからなる群より選択され、
Ｚはジエンである］。
【請求項３６】
ＸがＯであり、
Ｓ２が直鎖アルキル鎖であり、
ＹがＣＯ2であり、
Ｚが１，４、１，５および１，６ジエンからなる群より選択される、請求項３５に記載の使用。
【請求項３７】
請求項３５の一般式中、Ｒが、
【化５】
2007531995.tif 000005
およびそれらのいずれかの混合物からなる群より選択される、請求項３５または３６に記載の使用。
【請求項３８】
反応性メソゲンが以下の化合物１〜４から選択される一以上を含む、請求項３７に記載の使用：
【化６】
2007531995.tif 000006
【請求項３９】
反応性メソゲンが化合物１および化合物２の１：１混合物を含む、請求項３８に記載の使用。
【請求項４０】
反応性メソゲン混合物が２重量％混合物を含む、請求項３９に記載の使用。
【請求項４１】
反応性メソゲン混合物が化合物３および化合物２の１：１混合物を含む、請求項３８に記載の使用。
【請求項４２】
反応性メソゲン混合物が２重量％混合物を含む、請求項４１に記載の使用。
【請求項４３】
反応性メソゲン混合物が化合物４および化合物１の１：１混合物を含む、請求項３８に記載の使用。
【請求項４４】
反応性メソゲン混合物が１重量％混合物を含む、請求項４３に記載の使用。
【請求項４５】
反応性メソゲンとして化合物１を用いる請求項３８に記載の使用。
【請求項４６】
反応性メソゲンが１重量％混合物を含む、請求項４５に記載の使用。
【請求項４７】
光重合プロセスが室温で行われる、請求項１８ないし４６のいずれかに記載の使用。
【請求項４８】
感光染料をドープすることをさらに含む、請求項１８ないし４７のいずれかに記載の使用。